(57)【要約】【要  約】【課  題】    室内冷媒熱交換器と温水熱交換器とが前後に重なって配置されているとともに、熱交換器の後側に上下に送風機が配置されている室内機を備えた空気調和装置において、下側の吹き出し温度を極力高くする。【解決手段】  空気調和装置は、室外機からの冷媒が流れる室内冷媒熱交換器（２１）と、温水供給装置からの温水が流れる温水熱交換器（２２）とが前後に重ねられて配置され、熱交換器の後側に送風機（２６，２７）が上下に配置されている室内機を備えている。そして、暖房時には、室外機のコンプレッサ（５１）からの冷媒を冷媒流路切換手段（５３）、室内冷媒熱交換器、膨張弁（５４）および室外熱交換器（５２）を介して再びコンプレッサに戻してヒートポンプ運転を行うとともに、温水供給装置の温水源（６１）からの温水を温水熱交換器に流して再び温水源に戻して循環させ温水運転を行っている。【選択図】  図５
2006132846.tif 000002
【特許請求の範囲】
【請求項１】
室外機からの冷媒が流れる室内冷媒熱交換器と、温水供給装置からの温水が流れる温水熱交換器とが前後に重ねられて配置され、この熱交換器の下流側である後側に送風機が上下に配置されている室内機を備えた空気調和装置において、
前記室外機は、気体状の冷媒を圧縮して吐出するコンプレッサ、および、このコンプレッサからの冷媒を室外熱交換器または前記室内冷媒熱交換器へ流す冷媒流路切換手段を具備し、暖房時には、コンプレッサからの冷媒を冷媒流路切換手段、室内冷媒熱交換器、膨張弁および室外熱交換器を介して再びコンプレッサに戻し、また、冷房時には、コンプレッサからの冷媒を冷媒流路切換手段、室外熱交換器、膨張弁および室内冷媒熱交換器を介して再びコンプレッサに戻しており、
前記温水供給装置は、温水源、および、この温水源からの温水を前記温水熱交換器に流して再び温水源に戻して循環させる循環ポンプを具備していることを特徴とする空気調和装置。
【請求項２】
循環する温水の流量を制御する温水流量制御弁が設けられているとともに、
前記コンプレッサ、冷媒流路切換手段および温水流量制御弁を制御する制御手段が設けられ、
この制御手段は、暖房時には、温水流量制御弁を略全開の暖房開度に固定し、かつ、冷媒流路切換手段によりコンプレッサからの冷媒を室内冷媒熱交換器へ流すとともに、負荷変動に応じて、コンプレッサをインバータ制御し、
冷房時には、温水流量制御弁を閉じ、かつ、冷媒流路切換手段によりコンプレッサからの冷媒を室外熱交換器へ流すとともに、負荷変動に応じて、コンプレッサをインバータ制御し、
ドライ運転時には、温水流量制御弁の開度を絞って暖房開度よりも小さなドライ開度とし、かつ、冷媒流路切換手段によりコンプレッサからの冷媒を室外熱交換器へ流すとともに、負荷変動に応じて、コンプレッサをインバータ制御することを特徴とする請求項１記載の空気調和装置。
【請求項３】
前記温水熱交換器が、上部熱交換部と下部熱交換部とを具備し、
この上部熱交換部と下部熱交換部とが上下に離れて配置され、上部熱交換部と下部熱交換部との間に、温水配管が配管されていない風抜部が形成されていることを特徴とする請求項１または２記載の空気調和装置。
【請求項４】
前記冷媒が異種混合冷媒であることを特徴とする請求項１，２または３記載の空気調和装置。
【発明の詳細な説明】
【技術分野】
【０００１】
本発明は、室外機からの冷媒が流れる室内冷媒熱交換器と、温水供給装置からの温水が流れる温水熱交換器とが前後に重ねられて配置され、この熱交換器の下流側である後側に送風機が上下に配置されている室内機を備えた空気調和装置に関する。
【背景技術】
【０００２】
従来、この種の空気調和装置（たとえば、特許文献１など参照）では、暖房時には、温水供給装置を稼働させて温水熱交換器に温水を流し、この温水熱交換器で温められた空気を、上下に配置された送風機が室内に送風して暖房を行っている。そして、この暖房時には、室外機は停止しており、室内冷媒熱交換器には冷媒が流れない。一方、冷房時には、室外機を稼働させて冷媒を室内冷媒熱交換器に流し、この室内冷媒熱交換器で冷却された空気を、上下に配置された送風機が室内に送風して冷房を行っている。
【特許文献１】特開平９−１７８３０５号公報
【発明の開示】
【発明が解決しようとする課題】
【０００３】
ところで、この様な空気調和装置では、暖房時に、温水熱交換器で温められた空気が上下の送風機により上下に分配されて吹き出されているため、各吹き出しの風量は半減され、それに伴ってカロリーも半減する。そして、従来の空気調和装置では、暖房時には、温水運転のみであるので、下側の吹き出し温度が低くなっている。また、従来、ヒートポンプ運転を行う空気調和装置もあるが、そのヒートポンプ運転の際には、温水運転が行われておらず、そのため、下側の吹き出し温度の温度分布を改善することができなかった。
【０００４】
解決しようとする問題点は、室内冷媒熱交換器と温水熱交換器とが前後に重ねられて配置され、この熱交換器の後側に送風機が上下に配置されている室内機を備えた空気調和装置において、下側の吹き出し温度が低くなっている点である。
【課題を解決するための手段】
【０００５】
本発明の空気調和装置は、室外機からの冷媒が流れる室内冷媒熱交換器（２１）と、温水供給装置からの温水が流れる温水熱交換器（２２）とが前後に重ねられて配置され、この熱交換器の下流側である後側に送風機（２６，２７）が上下に配置されている室内機を備えている。そして、室外機は、気体状の冷媒を圧縮して吐出するコンプレッサ（５１）、および、このコンプレッサからの冷媒を室外熱交換器（５２）または前記室内冷媒熱交換器へ流す冷媒流路切換手段（５３）を具備し、暖房時には、コンプレッサからの冷媒を冷媒流路切換手段、室内冷媒熱交換器、膨張弁（５４）および室外熱交換器を介して再びコンプレッサに戻し、また、冷房時には、コンプレッサからの冷媒を冷媒流路切換手段、室外熱交換器、膨張弁および室内冷媒熱交換器を介して再びコンプレッサに戻している。前記温水供給装置は、温水源（６１）、および、この温水源からの温水を前記温水熱交換器に流して再び温水源に戻して循環させる循環ポンプ（６２）を具備している。
【０００６】
また、循環する温水の流量を制御する温水流量制御弁（６３）が設けられているとともに、コンプレッサ、冷媒流路切換手段および温水流量制御弁を制御する制御手段（７１）が設けられ、この制御手段は、暖房時には、温水流量制御弁を略全開の暖房開度に固定し、かつ、冷媒流路切換手段によりコンプレッサからの冷媒を室内冷媒熱交換器へ流すとともに、負荷変動に応じて、コンプレッサをインバータ制御し、冷房時には、温水流量制御弁を閉じ、かつ、冷媒流路切換手段によりコンプレッサからの冷媒を室外熱交換器へ流すとともに、負荷変動に応じて、コンプレッサをインバータ制御し、ドライ運転時には、温水流量制御弁の開度を絞って暖房開度よりも小さなドライ開度とし、かつ、冷媒流路切換手段によりコンプレッサからの冷媒を室外熱交換器へ流すとともに、負荷変動に応じて、コンプレッサをインバータ制御することがある。
【０００７】
さらに、温水熱交換器が、上部熱交換部（４６）と下部熱交換部（４７）とを具備し、この上部熱交換部と下部熱交換部とが上下に離れて配置され、上部熱交換部と下部熱交換部との間に、温水配管（４３）が配管されていない風抜部（４８）が形成されていることがある。
そして、冷媒が異種混合冷媒であることがある。
【発明の効果】
【０００８】
本発明によれば、暖房時には、コンプレッサからの冷媒が冷媒流路切換手段、室内冷媒熱交換器、膨張弁および室外熱交換器を介して再びコンプレッサに戻っており、室内冷媒熱交換器にはホットガスが流れてヒートポンプ運転を行うことができるとともに、温水源からの温水が温水熱交換器に流れて温水運転が行われる。したがって、熱交換器の後側に送風機が上下に配置されている室内機を備えた空気調和装置において、ヒートポンプ運転および温水運転の両者で効率よく、吹き出される空気を加熱することができる。その結果、下側の吹き出し温度を上昇させて、その温度分布を改善することができる。
【０００９】
また、暖房時に、制御手段が、温水流量制御弁を略全開の暖房開度に固定するとともに、負荷変動に応じて、コンプレッサをインバータ制御する場合には、負荷の変動は、ヒートポンプ運転で補償されるので、温水供給装置の能力を小さくすることができる。その結果、温水供給装置をコンパクトにすることができる。
【００１０】
さらに、上下の送風機により引込みが生じて風量が少なくなり熱交換の効率が悪くなる温水熱交換器の中央部分すなわち風抜部には、送風の妨げとなる温水配管を配管していない。その結果、極力熱交換効率を低下させないで、空気調和装置の室内機の風量を確保することができる。その結果、大きな風量を得るとともに、送風機の送風容量を小さくでき、空気調和装置の室内機をコンパクトにすることができる。
【００１１】
そして、冷媒が異種混合冷媒である場合には、暖房運転時において、高温吹き出しが可能となる。
【発明を実施するための最良の形態】
【００１２】
室内冷媒熱交換器と温水熱交換器とが前後に重なって配置されているとともに、この熱交換器の後側に上下に送風機が配置されている室内機を備えた空気調和装置において、下側の吹き出し温度を極力高くするという目的を、暖房運転時に、ヒートポンプ運転および温水運転の両者を行うことができるようにすることで実現した。
【実施例１】
【００１３】
次に、本発明における空気調和装置の一実施例について、図１ないし図８を用いて説明する。図１は本発明における空気調和装置の室内機の暖房時の概略の断面図である。図２は空気調和装置の室内機の冷房時の概略の断面図である。図３は室内機の概略の組み立て分解斜視図である。図４は室内機の斜視図である。図５は暖房時の概略の冷媒および温水の回路図である。図６はドライ運転時の概略の冷媒および温水の回路図である。図７は冷房時の概略の冷媒および温水の回路図である。図８は制御装置の入出力図である。なお、図１および図２において、吸込パネル、左右風向調整羽根およびルーバーなどの図示は省略されている。
【００１４】
図１ないし図４において、空気調和装置の室内機の外殻は、背面側のフレーム１、底板２、および、フレーム１の前側を覆う本体カバー３で構成されている。本体カバー３には、吸込口である前面開口６、上側吹出口７および下側吹出口８が形成されている。上側吹出口７および下側吹出口８は、前面開口６の上側および下側に設けられている。そして、上側吹出口７および下側吹出口８には各々、左右風向調整羽根１１およびルーバー１２が可動に設けられる。
【００１５】
また、本体カバー３の前面開口６には、前側から後側（すなわち背面側）に向かって、通風可能な吸込パネル１６、エアーフィルタ１７および、空気清浄フィルタ１８が順次配置される。エアーフィルタ１７は樹脂製の網目状のフィルタで、埃などの流入を防止しており、汚れた場合には水などで洗浄して再度利用される。空気清浄フィルタ１８は、活性炭などの脱臭剤を含有しており脱臭機能を具備しているとともに、目が細かく、数年間使用した後には新しい空気清浄フィルタと交換される。
【００１６】
空気調和装置の室内機の内部には、フィルタ１７，１８の後側に、室内冷媒熱交換器２１および温水熱交換器２２が前後に重なった状態で配置されている。そして、温水熱交換器２２の後側には、上下に、送風機であるクロスフローファン２６，２７が配置され、各クロスフローファン２６，２７は、ファンモータ２８，２９で回転駆動される。
【００１７】
室内冷媒熱交換器２１は、左右の管板３１間に左右方向に複数配列されたアルミ板などからなる熱交換フィン３２と、管板３１および熱交換フィン３２を貫通している冷媒配管３３とを具備している。そして、冷媒配管３３は左右の管板３１間を左右方向に略水平に延在するとともに、管板３１の外側で略Ｕ字状に折れ曲がって、再び、左右の管板３１間を左右方向に略水平に延在しており蛇行している。そして、この冷媒配管３３は、管板３１および熱交換フィン３２の上から下まで、略全域にわたって、蛇行しながら配管されている。
【００１８】
温水熱交換器２２は、左右の管板４１間に左右方向に複数配列されたアルミ板などからなる熱交換フィン４２と、管板４１および熱交換フィン４２を貫通している温水配管４３とを具備している。そして、温水配管４３は左右の管板４１間を左右方向に略水平に延在するとともに、管板４１の外側で略Ｕ字状に折れ曲がって、再び、左右の管板４１間を左右方向に略水平に延在しており蛇行している。この温水配管４３は、温水熱交換器２２の上部熱交換部４６と下部熱交換部４７とに配管されている。そして、上部熱交換部４６と下部熱交換部４７とは、上下に間隔を有して配置され、上部熱交換部と下部熱交換部との間に、温水配管４３が配管されていない風抜部４８が形成されている。この風抜部４８の高さｈ１は、上部熱交換部４６の高さｈ２や下部熱交換部４７の高さｈ３よりも大きく形成されている。また、各熱交換フィン４２は、上下方向の長さが、室内冷媒熱交換器２１の熱交換フィン３２や温水熱交換器２２の管板４１と略同じであり、上部熱交換部４６、風抜部４８および下部熱交換部４７にわたって上下方向に一体的に形成されているとともに、上部熱交換部４６よりも上側に延在し、かつ、下部熱交換部４７よりも下側に延在している。
【００１９】
図５において、室内機の室内冷媒熱交換器２１は、一般的に良く知られているように、室外機のコンプレッサ５１や室外熱交換器５２などと冷凍サイクルを構成しており、この冷凍サイクルの冷媒として、フロンＲ４１０ａなどの異種混合冷媒が用いられている。このフロンＲ４１０ａは、フロンＲ３２、フロンＲ１２５などの複数の冷媒を混合して製造されている。室外熱交換器５２には、送風機５５により空気（すなわち、外気）が送風され、冷媒と空気とが熱交換する。
【００２０】
コンプレッサ５１は、気体状の冷媒を圧縮して冷媒流路切換手段である冷媒流路切換弁５３に吐出する。この冷媒流路切換弁５３は、暖房時には、コンプレッサ５１からの冷媒を室内冷媒熱交換器２１に流し、この室内冷媒熱交換器２１から出た冷媒は、膨張弁５４および室外熱交換器５２を通って、冷媒流路切換弁５３およびアキュムレータ５６を介してコンプレッサ５１に戻っている。この様にして、室内冷媒熱交換器２１には、温かい冷媒（所謂、ホットガス）が流れる。
【００２１】
一方、冷房およびドライ運転時には、図６および図７に図示するように、冷媒流路切換弁５３は、コンプレッサ５１からの冷媒を室外熱交換器５２に流して空冷する。この室外熱交換器５２から出た冷媒は、膨張弁５４および室内冷媒熱交換器２１を通って、冷媒流路切換弁５３およびアキュムレータ５６を介してコンプレッサ５１に戻っている。この様にして、室内冷媒熱交換器２１には、冷却された冷たい冷媒が流れる。
【００２２】
また、図５および図６において、暖房時およびドライ運転時には、温水熱交換器２２には、温水供給装置からの温水（たとえば、約８０℃）が循環する。この温水供給装置は、ボイラーなどの燃焼式の温水源６１および定吐出ポンプである循環ポンプ６２を具備しており、温水源６１の温水は、循環ポンプ６２により、温水流量制御弁６３を通って、温水熱交換器２２の下部熱交換部４７次いで上部熱交換部４６の順に流れて再び温水源６１に戻って循環しながら流れる。この温水循環流路に設けられている温水流量制御弁６３は循環する温水の流量を制御する。
【００２３】
また、この空気調和装置には、図８に図示する制御装置７１が設けられており、この制御手段としての制御装置７１はマイコンなどで構成されている。そして、制御装置７１には、種々の電気部品が接続されているが、特に室温などの制御のための電気部品として、入力側に、設定温度などを設定するためのリモコンなどの操作部７２および、室温を検出する室温センサ７３などが接続され、一方、出力側に、コンプレッサ５１、冷媒流路切換弁５３、膨張弁５４、循環ポンプ６２および温水流量制御弁６３などが接続されている。なお、制御装置７１の記憶部（ＲＯＭやＲＡＭなど）には種々の設定値（たとえば、設定温度など）が記憶される。
【００２４】
この様に構成されている空気調和装置で空調を行う際には、操作部７２を操作して、暖房運転、ドライ運転または冷房運転の運転指示を行うとともに、設定温度などを設定する。すると、暖房運転、ドライ運転または冷房運転の運転指示が制御装置７１に入力されるとともに、設定温度が制御装置７１の記憶部に設定される。
【００２５】
そして、操作部７２の運転指令が暖房運転の場合には、制御装置７１は、冷媒流路切換弁５３に指令を出力して、コンプレッサ５１からの冷媒が室内冷媒熱交換器２１に流れるように、かつ、室外熱交換器５２からの冷媒をアキュムレータ５６を介してコンプレッサ５１の吸込口に戻る様に冷媒流路を切り換える。また、制御装置７１は、室温センサ７３の検出した室温と設定温度との差などに基づき負荷の変動に応じて、コンプレッサ５１の回転数をインバータ制御する。さらに、制御装置７１は温水源６１、循環ポンプ６２およびクロスフローファン２６，２７を稼働させるとともに、温水流量制御弁６３の開度を略全開の暖房開度にする。循環ポンプ６２の回転数は負荷の変動に係わらず、一定である。この様にして、室内冷媒熱交換器２１に温かい冷媒（すなわち、ホットガス）が、また、温水熱交換器２２に温水が流れるとともに、クロスフローファン２６，２７の稼働により、室内機の前面中央部の前面開口６から室内の空気が吸い込まれる。そして、吸い込まれた空気は熱交換器２１，２２で熱交換されて温かくなり、上下の吹出口７，８から前側に向かって吹き出す。
【００２６】
操作部７２の運転指令がドライ運転の場合には、制御装置７１は、冷媒流路切換弁５３に指令を出力して、コンプレッサ５１からの冷媒が室外熱交換器５２に流れるように、かつ、室内冷媒熱交換器２１からの冷媒をアキュムレータ５６を介してコンプレッサ５１の吸込口に戻る様に冷媒流路を切り換える。また、制御装置７１は、室温センサ７３の検出した室温と設定温度との差などに基づき負荷の変動に応じて、コンプレッサ５１の回転数をインバータ制御する。さらに、制御装置７１は温水源６１、循環ポンプ６２およびクロスフローファン２６，２７を稼働させるとともに、温水流量制御弁６３の開度をたとえば全開の１０〜２０％程度に絞り、暖房開度よりも小さなドライ開度にする。循環ポンプ６２の回転数は負荷の変動に係わらず、一定である。この様にして、室内冷媒熱交換器２１に冷却された冷媒が、また、温水熱交換器２２に温水が流れるとともに、クロスフローファン２６，２７の稼働により、室内機の前面中央部の前面開口６から室内の空気が吸い込まれる。そして、吸い込まれた空気は室内冷媒熱交換器２１で冷却されて水分が除去されるとともに、温水熱交換器２２で温められ、適温（設定温度）に戻されて、上下の吹出口７，８から前側に向かって吹き出す。
【００２７】
操作部７２の運転指令が冷房運転の場合には、制御装置７１は、冷媒流路切換弁５３に指令を出力して、ドライ運転の時と同様に、コンプレッサ５１からの冷媒が室外熱交換器５２に流れるように、かつ、室内冷媒熱交換器２１からの冷媒をアキュムレータ５６を介してコンプレッサ５１の吸込口に戻る様に冷媒流路を切り換える。また、制御装置７１は、室温センサ７３の検出した室温と設定温度との差などに基づき負荷の変動に応じて、コンプレッサ５１の回転数をインバータ制御する。さらに、制御装置７１はクロスフローファン２６，２７を稼働させるとともに、温水源６１および循環ポンプ６２を停止状態にさせ、かつ、温水流量制御弁６３の開度を全閉または略全閉にする。この様にして、室内冷媒熱交換器２１に冷却された冷媒が流れるとともに、クロスフローファン２６，２７の稼働により、室内機の前面中央部の前面開口６から室内の空気が吸い込まれる。そして、吸い込まれた空気は室内冷媒熱交換器２１で冷却され、上下の吹出口７，８から前側に向かって吹き出す。
【００２８】
この様にして、制御装置７１は、１）暖房時に、温水流量制御弁を略全開の暖房開度に固定し、かつ、冷媒流路切換手段によりコンプレッサからの冷媒を室内冷媒熱交換器へ流すとともに、負荷変動に応じて、コンプレッサをインバータ制御する手段、２）冷房時に、温水流量制御弁を閉じ、かつ、冷媒流路切換手段によりコンプレッサからの冷媒を室外熱交換器へ流すとともに、負荷変動に応じて、コンプレッサをインバータ制御する手段、および、３）ドライ運転時に、温水流量制御弁の開度を絞って暖房開度よりも小さなドライ開度とし、かつ、冷媒流路切換手段によりコンプレッサからの冷媒を室外熱交換器へ流すとともに、負荷変動に応じて、コンプレッサをインバータ制御する手段を具備している。
また、制御装置７１は、上記手段以外にも、実行する作用に対応して、その作用を実行するための手段を具備している。
【００２９】
前述のように、暖房時には、室内冷媒熱交換器２１にはホットガスが流れて、ヒートポンプ運転が行われるとともに、温水熱交換器２２には温水が流れて温水運転が行われる。したがって、ヒートポンプ運転および温水運転の両者で効率よく空気を温めることができる。その結果、吹き出し温度を上昇させることができ、特に、下側の吹き出しの温度分布を大きく改善することができる。
【００３０】
また、コンプレッサ５１をインバータ制御することにより、負荷の変動に対応しており、温水源６１および循環ポンプ６２は、負荷の変動に係わらず略一定温度の温水を常時循環させている。したがって、温水源６１および循環ポンプ６２の温水循環能力は、負荷の変動に対応する必要がないため、比較的小さくすることができ、温水源６１などをコンパクトにすることができる。
【００３１】
ところで、クロスフローファン２６，２７は上下に設けられているため、空気調和装置の前面開口６の中央部や熱交換器２１，２２の中央部では、各クロスフローファン２６，２７の引込みが生じ、空気の流れが円滑に行われない。そのため、前面開口６の中央部や熱交換器２１，２２の中央部は、上部および下部よりも風量を得ることが困難である。したがって、この実施例では、風量のある上部および下部に、温水配管４３を配管して効率よく空気を温めるとともに、風量の少ない中央部では、温水配管４３を配管せずにスムーズに空気を流して、空気の流れの妨げになることを極力防止し、風量特性の効果を向上させている。この様にして、ヒートポンプ運転および温水運転の両者により吹き出し温度を上昇させるとともに、風量を確保することができる。
【００３２】
以上、本発明の実施例を詳述したが、本発明は、前記実施例に限定されるものではなく、特許請求の範囲に記載された本発明の要旨の範囲内で、種々の変更を行うことが可能である。本発明の変更例を下記に例示する。
（１）循環ポンプは、温水を循環させることができるならば、温水源であるボイラーに内蔵されていることも可能であるし、外付けでも可能である。
【００３３】
（２）温水源は、温水を供給することができるならば適宜選択可能であるが、たとえばガス温水ボイラーなどの燃焼式温水源であることが好ましい。
（３）操作部７２や室温センサ７３などはリモコン内に設けられているが、その設置箇所は適宜選択可能で、たとえば室内機本体に設けることも可能である。
（４）制御装置７１を構成するマイコンなどは、リモコン、室内機や室外機などに設けることができる。また、マイコンは、その個数などは適宜選択可能で、１個であることも可能であるし、複数個分散して配置することも可能である。
（５）風抜部の高さは、上部熱交換部の高さと略同じかまたは大きいが、風抜部の高さを上部熱交換部の高さよりも小さくすることができる。ただし、大きな風量を確保するためには、風抜部の高さを、上部熱交換部の高さと略同じかまたは大きくすることが好ましい。
（６）冷媒の種類は、フロンＲ４１０ａなどの異種混合冷媒であることが好ましいが、他の冷媒（たとえば、ＣＯ２冷媒や他のフロンガスなど）も適宜選択可能である。
（７）上下に設けられる送風機は、クロスフローファンであることが好ましいが、他の形式の送風機であることも可能である。
（８）室内冷媒熱交換器と温水熱交換器とは前後に重なっていれば、温水熱交換器が前側（上流側）であることも可能である。ただし、温水熱交換器は冷媒熱交換器の後側（下流側）であることが好ましい。
（９）温水源からの温水は、下部熱交換部４７、上部熱交換部４６の順に流れているが、温水の流れる順序は適宜変更可能であり、上部熱交換部４６、下部熱交換部４７の順に流れることも可能である。
【産業上の利用可能性】
【００３４】
室内冷媒熱交換器と温水熱交換器とが前後に重なって配置されているとともに、この熱交換器の後側に上下に送風機が配置されている室内機を備えた空気調和装置において、暖房運転時に、ヒートポンプ運転および温水運転の両者を行うことができるようにしているので、下側の吹き出し温度を極力高くすることができる。したがって、室内冷媒熱交換器と温水熱交換器とが前後に重なって配置されているとともに、この熱交換器の後側に上下に送風機が配置されている室内機を備えた空気調和装置において、下側の吹き出し温度を高くして、その温度分布を改善することが要求される場合に適用することが最適である。
【図面の簡単な説明】
【００３５】
【図１】図１は本発明における空気調和装置の室内機の暖房時の概略の断面図である。
【図２】図２は空気調和装置の室内機の冷房時の概略の断面図である。
【図３】図３は室内機の概略の組み立て分解斜視図である。
【図４】図４は室内機の斜視図である。
【図５】図５は暖房時の概略の冷媒および温水の回路図である。
【図６】図６はドライ運転時の概略の冷媒および温水の回路図である。
【図７】図７は冷房時の概略の冷媒および温水の回路図である。
【図８】図８は制御装置の入出力図である。
【符号の説明】
【００３６】
２１  室内冷媒熱交換器
２２  温水熱交換器
２６  クロスフローファン（送風機）
２７  クロスフローファン（送風機）
４３  温水配管
４６  上部熱交換部
４７  下部熱交換部
４８  風抜部
５１  コンプレッサ
５２  室外熱交換器
５３  冷媒流路切換弁（冷媒流路切換手段）
５４  膨張弁
６１  温水源
６２  循環ポンプ
６３  温水流量制御弁
７１  制御装置（制御手段）
【図１】
2006132846.tif 000003
【図２】
2006132846.tif 000004
【図３】
2006132846.tif 000005
【図４】
2006132846.tif 000006
【図５】
2006132846.tif 000007
【図６】
2006132846.tif 000008
【図７】
2006132846.tif 000009
【図８】
2006132846.tif 000010